(57)【要約】【課題】基板の実装用のフリースペースを広く確保することができ、かつ電線を高い保持力で支持することができる電線端末用固定具を提供すること。【解決手段】芯線３１の外周を絶縁内皮部、編組部、絶縁外皮部の順に被覆して形成されるシールド電線３の端末部を保持して基板４１の一方の面４７に固定される金属板材からなる電線端末用固定具１であり、金属板材は、シールド電線の延在方向の両側を同じ方向に折り曲げて基板の一方の面と当接させて固着する２つの側板部７，９と、これらの側板部の間に設けられ、シールド電線３の絶縁外皮部及び露出された編組部を圧着して保持する２つのＵ字状の圧着部１１，１３とを有し、側板部７，９には、シールド電線３が挿通される電線挿通穴１５，１９が形成されるものとする。【選択図】図２
2011049045.tif 000002
【特許請求の範囲】
【請求項１】
芯線の外周を絶縁外皮部で被覆した電線の端末部を保持して実装基板の一方の面に固定される金属板材からなる電線端末用固定具であって、
前記金属板材は、前記電線の延在方向の両側を同じ方向に折り曲げて前記実装基板の一方の面に当接させて固着する２つの側板部と、この２つの側板部の間に設けられ、前記電線の前記絶縁外皮部を圧着して保持するＵ字状の圧着部とを有してなり、前記側板部には、前記電線が挿通される電線挿通穴が形成されてなる電線端末用固定具。
【請求項２】
芯線の外周を絶縁内皮部、編組部、絶縁外皮部の順に被覆して形成されるシールド電線の端末部を保持して実装基板の一方の面に固定される金属板材からなる電線端末用固定具であって、
前記金属板材は、前記シールド電線の延在方向の両側を同じ方向に折り曲げて前記実装基板の一方の面と当接させて固着する２つの側板部と、この２つの側板部の間に設けられ、前記シールド電線の前記絶縁外皮部及び露出された前記編組部を圧着して保持する２つのＵ字状の圧着部とを有してなり、
前記側板部には、前記シールド電線が挿通される電線挿通穴が形成されてなる電線端末用固定具。
【請求項３】
前記側板部には、前記実装基板の一方の面と当接する折り曲げ面が形成されてなる請求項１又は２のいずれかに記載の電線端末用固定具。
【発明の詳細な説明】
【技術分野】
【０００１】
本発明は、電線の端末部を保持して実装基板に取り付けられる電線端末用固定具に関する。
【背景技術】
【０００２】
従来、電線の端末部において、絶縁被覆部から露出された芯線を基板（実装基板）の導体部分に接続する形態として、特許文献１には、金属製の薄板をプレス加工により成型し、露出された芯線を把持する把持部と、この把持部から延在して形成される筒状の取り付け部とを備えた端子構造が開示されている。
【０００３】
この端子構造によれば、電線の端末部から芯線を露出させ、この露出された芯線とこの芯線の外周を覆う絶縁被覆部をそれぞれ２つの把持部で把持し、次いで端子の取付部を実装基板に形成された貫通穴に挿入し、基板の穴に挿入された取り付け部をかしめて端子を基板上に固定することにより、芯線と基板上の導体部分（例えば、プリント回路）を電気的に接続することができる。
【先行技術文献】
【特許文献】
【０００４】
【特許文献１】特開２００６−２９４３１５号公報
【発明の概要】
【発明が解決しようとする課題】
【０００５】
ところで、特許文献１の端子構造によれば、基板に固定される端子の固定力を確保するため、端子の取り付け部、言い換えれば、基板の貫通穴を所定の大きさで形成する必要がある。すなわち、貫通穴が小さすぎると端子の固定力が不足するおそれがあり、また、端子を基板に取り付ける作業を手作業で行う場合には、貫通穴が小さすぎると取り付け部を穴に挿入しづらくなり作業効率が低下する。そのため、基板には比較的大きな貫通穴、つまり端子取り付け用のスペースを確保しなければならず、結果として実装用のフリースペースの面積が制限されるという問題がある。
【０００６】
一方、基板に取り付けられる電線には、芯線の外周を絶縁内皮部、編組部、絶縁外皮部の順に被覆して形成され、芯線、絶縁内皮、編組部を電線の端から順に露出させた同軸線が用いられることがある。このような同軸線を特許文献１の端子を用いて基板に接続する場合、仮に露出された芯線と絶縁外皮の２箇所を端子で把持したとしても、電線に外力が加えられて編組部などに倒れが生じると、編組部が端子の導体部分と接触してショートするおそれがある。
【０００７】
そこで本発明は、上記の問題点に鑑み、基板の実装用のフリースペースを広く確保することができ、かつ電線を高い保持力で支持することができる電線端末用固定具を提供することを課題とする。
【課題を解決するための手段】
【０００８】
本発明の電線端末用固定具は、上記課題を解決するため、芯線の外周を絶縁外皮部で被覆した電線の端末部を保持して実装基板の一方の面に固定される金属板材からなる電線端末用固定具であって、金属板材は、電線の延在方向の両側を同じ方向に折り曲げて実装基板の一方の面に当接させて固着する２つの側板部と、この２つの側板部の間に設けられ、電線の絶縁外皮部を圧着して保持するＵ字状の圧着部とを有してなり、側板部には、電線が挿通される電線挿通穴が形成されてなることを特徴とする。
【０００９】
本発明の電線端末用固定具は、芯線が露出された電線の端末部を圧着保持した状態で、実装基板の一方の面、つまりプリント回路などが形成される実装面と反対側の面に取り付けて使用することができる。ここで、露出された芯線は、実装基板に形成された貫通穴に挿通させて他方の面、つまり実装面から半田付けすることにより、電線と実装基板の導電部分を電気的に接続することができる。これにより、実装基板の端子取り付け用のスペースは貫通穴の周縁に限定されるため、実装用のフリースペースを広く確保することができる。
【００１０】
また本発明において、電線は絶縁外皮部が圧着保持されるとともに、その圧着保持された両側の電線部分が電線挿通穴に挿通されてガイドされるため、例えば電線の後足側に外力が加えられても圧着部分に掛かる負担を少なくすることができ、電線の高い保持力を確保することができる。
【００１１】
このような電線端末用固定具は、芯線の外周を絶縁内皮部、編組部、絶縁外皮部の順に被覆して形成され、芯線、絶縁内皮部、編組部を端部から順に露出させたシールド電線を保持する場合においても、絶縁内皮部及び編組部を有しない一般電線を保持する場合と同様の効果を得ることができるが、シールド電線を用いる場合は、特に、以下のように構成したものを適用することができる。
【００１２】
すなわち、シールド電線の端末部を保持して実装基板の一方の面に固定される金属板材からなる電線端末用固定具であって、金属板材は、シールド電線の延在方向の両側を同じ方向に折り曲げて実装基板の一方の面と当接させて固着する２つの側板部と、この２つの側板部の間に設けられ、シールド電線の絶縁外皮部及び露出された編組部を圧着して保持する２つのＵ字状の圧着部とを有してなり、側板部には、シールド電線が挿通される電線挿通穴が形成されてなるものとする。
【００１３】
このように、電線を絶縁外皮部と編組部で圧着保持するとともに、例えば電線挿通穴内に電線の絶縁内皮部と絶縁外皮部をそれぞれ位置させるようにすれば、電線に外力が加えられても、圧着部分に掛かる負担を少なくすることができ、さらに、電線は圧着保持された部分の両側が電線挿通穴にガイドされるため、電線の倒れなどが抑えられ、芯線と編組部のショートを抑制することができる。
【００１４】
また、上記のような電線端末用固定具は、側板部に実装基板の一方の面と当接する折り曲げ面が形成されてなるものとする。このようにすれば、実装基板の一方の面と側板部との接触面積を大きくすることができるため、電線端末用固定具を実装基板に固着させる作業が容易になり、かつ電線端末用固定具の固定力を向上させることができる。
【発明の効果】
【００１５】
本発明によれば、基板の実装用のフリースペースを広く確保することができ、かつ電線を高い保持力で支持することができる。
【図面の簡単な説明】
【００１６】
【図１】本発明を適用してなる電線端末用固定具に電線を保持した状態を示す斜視図である。
【図２】本発明を適用してなる電線端末用固定具が電線を保持した状態で実装基板に固着させた状態を示す斜視図である。
【図３】本発明を適用してなる電線端末用固定具に保持される電線の端末部の斜視図である。
【図４】本発明を適用してなる電線端末用固定具において電線をセットする前の状態を示す斜視図である。
【図５】本発明を適用してなる電線端末用固定具において電線をセットして圧着する前の状態を示す斜視図である。
【図６】本発明を適用してなる電線端末用固定具において電線を圧着した後の状態を示す斜視図である。
【発明を実施するための形態】
【００１７】
以下、本発明を適用してなる電線端末用固定具の実施の形態について図面を参照して説明する。
【００１８】
本実施の形態の電線端末用固定具１は、シールド電線３の端末部を保持した状態で、実装基板（以下、基板と略す。）の一方の面に取り付けられるものである。この電線端末用固定具１は、図１に示すように、基底部５と、第１の側板部７と、第２の側板部９と、第１の圧着部１１と、第２の圧着部１３を備えて構成され、金属板材に打ち抜き加工などのプレス加工を施して所定の形状の板材を形成し、これに必要な曲げ加工などを施すことにより形成される。
【００１９】
第１の側板部７と第２の側板部９は、基底部５の長手方向、つまり電線の延在方向の両側を同じ方向に折り曲げて形成される。第１の側板部７には、シールド電線３が挿通される第１の電線挿通穴１５が形成されるとともに、その折り曲げた先には、基板の面と当接される第１の設置部１７が形成される。また、第２の側板部９には、シールド電線３が挿通される第２の電線挿通穴１９が形成されるとともに、その折り曲げた先には、基板の一方の面と当接される第２の設置部２１が形成される。第１の設置部１７は、第１の側板部７を第２の側板部９の方向に略直角に折り曲げて形成され、第２の設置部２１は、第２の側板部９を第１の側板部７の方向に略直角に折り曲げて形成される。
【００２０】
第１の圧着部１１と第２の圧着部１３は、いずれも基底部５の短手方向の両側からそれぞれ外側に向かってＵ字状に延在する圧着片を内側に折り曲げることにより、シールド電線３を包み込むようにして圧着するようになっている。
【００２１】
電線端末用固定具１に保持されるシールド電線３は、図３に示すように、芯線３１の外周を覆う絶縁内皮部３３と、この絶縁内皮部３３の外周を覆う導電性の編組部３５と、この編組部３５の外周を覆う絶縁外皮部３７とから構成される。絶縁内皮部３３及び絶縁外皮部３７は合成樹脂製の絶縁体にて形成され、芯線３１及び編組部３５は、導電体となっている。このシールド電線３の端末部は、芯線３１、絶縁内皮部３３、編組部３５の順に露出させた状態となっている。
【００２２】
次に、電線端末用固定具１にシールド電線３を組み付けて保持する方法について、図４乃至図６を参照して説明する。
【００２３】
まず、図４に示す電線端末用固定具１と、図３に示す端末部が露出処理されたシールド電線３を用意する。次に、電線端末用固定具１の第２の電線挿通穴１９からシールド電線３を挿入し、さらに挿入したシールド電線３の先を第１の電線挿通穴１５に挿入させる。このシールド電線３の挿入は、例えば、第１の圧着部１１と第２の圧着部１３の間の基底部５に形成される段差に絶縁外皮部３７の端部が当接したところで停止させる。
【００２４】
図５に示すように、シールド電線３の挿入を停止させた時点で、第１の電線挿通穴１５内と第２の電線挿通穴１９内にはそれぞれ絶縁内皮部３、絶縁外皮部３７が配置され、さらに、第１の圧着部１１（２枚の圧着片）に挟まれた基底部５の位置には絶縁内皮部３３が配置され、第２の圧着部１３（２枚の圧着片）に挟まれた基底部５の位置には絶縁外皮部３７が配置される。
【００２５】
このような状態とした後、電線端末用固定具１は、図６に示すように、第１の圧着部１１の２枚の圧着片を折り曲げて編組部３５を包み込むようにして圧着し、第２の圧着部１３の２枚の圧着片を折り曲げて絶縁外皮部３７を包み込むようにして圧着する。そして、第１の電線挿通穴１５を貫通したシールド電線３から露出する芯線３１は、第１の側板部７と第２の側板部９が延在する方向、つまり電線端末用固定具１が取り付けられる基板の面側に向けて折り曲げられる。
【００２６】
次に、このようにしてシールド電線３を圧着保持した電線端末用固定具１を基板４１にセットする。ここで、基板４１には、図２に示すように、芯線３を挿通させるための貫通穴４３と、第１の設置部１７及び第２の設置部２１がそれぞれ設置される半田付け面４５が設けられている。そのため、電線端末用固定具１を基板４１に取り付ける際は、電線端末用固定具１に支持されたシールド電線３の芯線３１を貫通穴４３に挿通させた状態で、第１の設置部１７と第２の設置部２１をそれぞれ半田付け面４５に当接させ、半田付けにより固着させる。
【００２７】
基板４１の貫通穴４３に挿入され、電線端末用固定具１が固着された基板４１の取り付け面４７の反対側の実装面４９から突出した芯線３１は、貫通穴４３の周縁が半田付けされ、実装面４９に形成されたプリント回路などと電気的に接続される。電線端末用固定具１に保持されたシールド電線３は、基板４１の取り付け面４７に沿って配索されて図示しない電源側などに接続され、実装面４９のプリント回路などは図示しない電気部品などに通電される。
【００２８】
このように本実施の形態によれば、シールド電線３の芯線３１と基板４１の導電部分との接続を、基板４１に形成された貫通穴４３の周縁で半田付けすることによりなされるため、例えば特許文献１のように端子の取り付け部を基板に形成された貫通穴に挿入し、これをかしめて基板上に固定する端子構造と比べた場合、端子取り付け用のスペースを小さくすることができる。そのため、基板４１の実装面４９などにおいては、プリント回路などの実装可能なフリースペースを広く確保することができ、例えば、グラウンドパターンが広くなることによるノイズの低減が可能となる。
【００２９】
また、本実施の形態の電線端末用固定具１では、シールド電線３を保持する構造として、編組部３５と絶縁外皮部３７をそれぞれ圧着保持するとともに、第１の電線挿通穴１５内に絶縁内皮部３３を配置させ、第２の電線挿通穴１９内に絶縁外皮部３７を配置させてガイドするようにしている。そのため、シールド電線３の後足側に外力が加えられても圧着部分などに掛かる負担を少なくすることができ、シールド電線３の高い保持力を確保することができる。また、例えば、電線端末用固定具１を基板４１に組み付ける際、シールド電線３の絶縁内皮部３３や編組部３５などに外力が加えられたとしても、芯線３１は電線端末用固定具１から離れた位置に配置されており、芯線３１を除いた端末部分に倒れなどが生じることもないため、例えば、芯線３１と編組部３５とのショートを抑制することができる。
【００３０】
また、本実施の形態では、電線端末用固定具１において、第１の電線挿通穴１５と第２の電線挿通穴１９の穴の大きさについて特に言及していないが、第１の電線挿通穴１５は、絶縁内皮部３３が挿通されて編組部３５が挿通されない範囲、言い換えれば、絶縁内皮部３３が挿通された状態で第１の電線挿通穴１５がガイド機能を損なわない程度の僅かな隙間ができる程度の穴径に形成され、第２の電線挿通穴１９は、絶縁外皮部３７が挿通された状態で第２の電線挿通穴１９がガイド機能を損なわない程度の僅かな隙間ができる程度の穴径に形成されていることが好ましい。このようにすれば、電線端末用固定具１にシールド電線３を挿通させる際に、第１の電線挿通穴１５にストッパとしての機能をもたせることができ、さらに、第１の電線挿通穴１５と第２の電線挿通穴１９によるガイド機能を高めることができる。
【００３１】
また、本実施の形態では、電線端末用固定具１において、第１の側板部７に第１の設置部１７を形成し、第２の側板部９に第２の設置部２１を形成することにより、第１の側板部７及び第２の側板部９が基板４１の取り付け面４７と接触する面積を広く確保している。そのため、電線端末用固定具１を基板４１に固着させる作業を容易化することができ、しかも、電線端末用固定具１の固定力を向上させることができる。
【００３２】
また、上記実施の形態においては、電線端末用固定具１に保持される電線として、シールド電線３を用いる場合について説明したが、絶縁内皮部３３と編組部３５を有しない一般電線を保持することも当然可能である。その場合、電線端末用固定具は、芯線の外周を覆う絶縁外皮部のみを圧着保持することになる。
【００３３】
また、上記実施の形態においては、電線端末用固定具１を基板４１の取り付け面４７に形成される半田付け面４５に半田付けして取り付ける場合について説明したが、取り付け方法はこの例に限定されるものではなく、要は、電線端末用固定具１が、第１の側板部７及び第２の側板部９を介して基板４１に固着される構造であれば、基板４１の構造はこれに限定されるものではない。
【符号の説明】
【００３４】
１  電線端末用固定具
３  シールド電線
５  基底部
７  第１の側板部
９  第２の側板部
１１  第１の圧着部
１３  第２の圧着部
１５  第１の電線挿通穴
１７  第１の設置部
１９  第２の電線挿通穴
２１  第２の設置部
３１  芯線
３３  絶縁内皮部
３５  編組部
３７  絶縁外皮部
４１  基板
４３  貫通穴
４５  半田付け面
４７  取り付け面
４９  実装面
【図１】
2011049045.tif 000003
【図２】
2011049045.tif 000004
【図３】
2011049045.tif 000005
【図４】
2011049045.tif 000006
【図５】
2011049045.tif 000007
【図６】
2011049045.tif 000008